(57)【要約】【課題】小さな力によって泡を確実に吐出させることができるとともに、泡の吐出方向を変化させることができ、取り扱いが容易な泡吐出容器を提供する。【解決手段】容器本体１１の口筒部１２に、エアを移送するエア用シリンダ２４と容器本体１１内の液体を移送する液用シリンダ２６とこれらエア及び液体を混合する気液混合室３７とを備えた泡吐出ポンプ２０が取り付けられた泡吐出容器１０において、エア用シリンダ２４の内部を摺動するエア用ピストン２９及び液用シリンダ２６の内部を摺動する液用ピストン３２に連係し、かつ、容器本体１１の中心軸線Ｌ方向に延設された作動筒体４０と、作動筒体４０を介して前記両ピストン２９、３２を駆動させるレバー部材６２を有し、作動筒体４０の中心軸線Ｌ方向の上端部に、この作動筒体４０の径方向外方に延びる泡吐出ノズル５０が、中心軸線Ｌを中心として回動可能に装着されていることを特徴とする。【選択図】図１
2007319759.tif 000002
【特許請求の範囲】
【請求項１】
容器本体の口筒部に、エアを移送するエア用シリンダと前記容器本体内の液体を移送する液用シリンダとこれらエア及び液体を混合する気液混合室とを備えた泡吐出ポンプが取り付けられた泡吐出容器において、
前記エア用シリンダの内部を摺動するエア用ピストン及び前記液用シリンダの内部を摺動する液用ピストンに連係し、かつ、前記容器本体の中心軸線方向に延設された作動筒体と、該作動筒体を介して前記両ピストンを駆動させるレバー部材を有し、
前記作動筒体の前記中心軸線方向の上端部に、この作動筒体の径方向外方に延びる泡吐出ノズルが、前記中心軸線を中心として回動可能に装着されていることを特徴とする泡吐出容器。
【請求項２】
請求項１に記載の泡吐出容器において、
前記泡吐出ノズルの吐出孔が、斜め上方に向けて配置されていることを特徴とする泡吐出容器。
【請求項３】
請求項１または請求項２に記載の泡吐出容器において、
前記レバー部材は、指を掛けて前記レバー部材を引き込むように操作する操作部を備え、該操作部には、その長さが伸縮する伸長部材が設けられていることを特徴とする泡吐出容器。
【発明の詳細な説明】
【技術分野】
【０００１】
本発明は、容器本体内の内容液を泡状に吐出する泡吐出容器に関するものである。
【背景技術】
【０００２】
このような泡吐出容器としては、例えば特許文献１に示されるものが開示されている。この泡吐出容器は、ポンプヘッドを押し下げることによりエアと容器内の内容液とを気液混合室で混合し、混合した状態で網（発泡部材）に通過させることによって泡を発生させ、この泡をポンプヘッドの吐出孔から吐出するように構成されている。
この泡吐出容器においては、エアを気液混合室に送り込むエア用シリンダと、内容液を気液混合室に送り込む液用シリンダとを備えており、エア用シリンダの内部を摺動可能に配置されたエア用ピストンと液用シリンダの内部を摺動可能に配置された液用ピストンとを一度に押圧する必要があった。
【０００３】
一方、液用ピストンを小さな押圧力によって移動させて内容液を吐出させる吐出容器として、例えば特許文献２に示されるものが提案されている。この吐出容器は、揺動自在に支持されたレバー部材を備え、該レバー部材の先端には指先を掛けることができる操作レバーが設けられており、該操作レバーを引き込むように操作することで前記液用ピストンを押し下げる、いわゆるトリガー式吐出容器であって、片手で容器本体を把持した状態で内容液を吐出でき、操作性に優れたものとして知られている。
【特許文献１】特開平９−１２４０６３号公報
【特許文献２】実公平３−２３３２１号公報
【発明の開示】
【発明が解決しようとする課題】
【０００４】
ところで、エアと容器内の内容液とを混合して泡状に吐出する泡吐出容器においては、泡を吐出するのにエア用ピストンと液用ピストンを一度に押圧する必要があるため、ポンプヘッドを押圧するのに大きな力が必要であり、力の弱い使用者にあっては、泡を吐出させることができなくなるおそれがあった。
【０００５】
また、特許文献２に記載されたトリガー式吐出容器では、一般に、レバー部材と吐出ノズルとが一体的に成形されていて、吐出ノズルの吐出方向とレバー部材の揺動方向とが略一致するように構成されている。よって、泡の吐出方向を変えようとする場合には、トリガー式吐出容器全体の向きを変えて、レバー部材の揺動方向（操作レバーの操作方向）も変えなければならず、操作レバーを操作してレバー部材を揺動することが困難となる場合があり、取り扱いが不便であった。
【０００６】
この発明は、前述した事情に鑑みてなされたものであって、小さな力によって泡を確実に吐出させることができるとともに、泡の吐出方向を簡単に変化させることができ、取り扱いが容易な泡吐出容器を提供することを目的とする。
【課題を解決するための手段】
【０００７】
この課題を解決するために、本発明の泡吐出容器は、容器本体の口筒部に、エアを移送するエア用シリンダと前記容器本体内の液体を移送する液用シリンダとこれらエア及び液体を混合する気液混合室とを備えた泡吐出ポンプが取り付けられた泡吐出容器において、前記エア用シリンダの内部を摺動するエア用ピストン及び前記液用シリンダの内部を摺動する液用ピストンに連係し、かつ、前記容器本体の中心軸線方向に延設された作動筒体と、該作動筒体を介して前記両ピストンを駆動させるレバー部材を有し、前記作動筒体の前記中心軸線方向の上端部に、この作動筒体の径方向外方に延びる泡吐出ノズルが、前記中心軸線を中心として回動可能に装着されていることを特徴としている。
【０００８】
この構成の泡吐出容器によれば、エア用シリンダのエア用ピストンと液用シリンダの液用ピストンとに連係された作動筒体が配置され、該作動筒体を駆動するレバー部材を有しているので、比較的小さな力でエア用ピストン及び液用ピストンを押し下げてエア及び内容液を気液混合室へと移送することができる。したがって、力の弱い使用者であっても泡を吐出させることができる。
また、作動筒体の上端部に、泡吐出ノズルが前記中心軸線を中心として回動可能に装着されているので、レバー部材の操作方向を変更することなく、泡吐出ノズルを回動させて泡の吐出方向を変更することができ、取り扱い性を大幅に向上することができる。
【０００９】
ここで、前記泡吐出ノズルの吐出孔を、斜め上方に向けて配置しても良い。この場合、泡吐出ノズルが中心軸線を中心として径方向外側に向けて延びるように配置されることになり、小さな力で泡吐出ノズルを中心軸線回りに回転させることができる。また、吐出孔が斜め上方に向けて配置されているので、吐出孔と作動筒体とが滑らかに接続されることになり、作動筒体を介して供給される泡をスムーズに吐出孔から吐出することができる。
【００１０】
さらに、前記レバー部材に、指を掛けて前記レバー部材を引き込むように操作する操作部を備え、該操作部に、その長さが伸縮する伸長部材を設けても良い。この場合、操作部の長さが長くなって、操作性がさらに向上することになる。
【発明の効果】
【００１１】
本発明によれば、小さな力によって泡を確実に吐出させることができるとともに、泡の吐出方向を簡単に変化させることができ、取り扱いが容易な泡吐出容器を提供することができる。
【発明を実施するための最良の形態】
【００１２】
以下に、本発明の一実施形態である泡吐出容器について添付した図面を参照にして説明する。図１から図３に、本発明の一例である泡吐出容器を示す。
この泡吐出容器１０は、中心軸線Ｌに沿って延びる有底円筒状をなす容器本体１１を有し、この容器本体１１の上端部分には、一段小径とされて外周面に雄ネジが形成された口筒部１２が形成されている。
【００１３】
この口筒部１２に螺着される筒状装着体１３は、中心軸線Ｌに沿って延びる多段円筒状をなしており、その下側部分が、最も大径とされていて内周面に前記雄ネジと螺合される雌ネジが形成された螺着部１４とされている。この螺着部１４の上方には、螺着部１４よりも一段小径とされた周筒部１５が連接され、該周筒部１５の上方には、周筒部１５よりもさらに一段小径とされた小筒部１６が肩部１７を介して連接されている。なお、この小筒部１６の下端は、肩部１７よりも周筒部１５側に突出させられている。また、小筒部１６の上端には、径方向内側に向けて凹むように凹曲するとともに内周面が中心軸線Ｌに平行に延びる円筒面上に形成されたガイド筒部１８が形成されている。
【００１４】
前記容器本体１１及び筒状装着体１３の内周側には、容器本体１１内に収容された内容液とエアとを混合して泡を生成する泡吐出ポンプ２０が配置されている。
この泡吐出ポンプ２０は、中心軸線Ｌに沿って延びる多段円筒状をなすシリンダ部材２１を備えており、シリンダ部材２１の上側部分には、径方向外側に向けて突出したフランジ部２２が形成されていて、このフランジ部２２が、容器本体１１の口筒部１２と、筒状装着体１３の螺着部１４及び周筒部１５の接続部分とに挟まれるようにして固定されている。
【００１５】
シリンダ部材２１は、内部を空気室２３とする円筒状の大径シリンダ部２４（エア用シリンダ）がフランジ部２２の下方側に向けて延び、内部を液室２５とする円筒状の小径シリンダ部２６（液用シリンダ）が大径シリンダ部２４の底面部から同軸上に延びるようにして構成されており、小径シリンダ部２６の下端には接続筒２７が下方に延びるよう形成されている。この接続筒２７には吸い上げパイプ２８が装着されていて、吸い上げパイプ２８の下端は容器本体１１の底部にまで達するように配置されている。
【００１６】
大径シリンダ部２４の内部には、中心軸線Ｌ方向に向けて気密に摺動するエア用ピストン２９が配置されており、エア用ピストン２９の径方向中央部には、円筒状をなすピストンガイド３０が中心軸線Ｌと同軸上に配置され、このピストンガイド３０の外周面にエアピストンバルブ２９Ａが嵌着されている。このエアピストンバルブ２９Ａにより、空気室２３が開閉可能とされている。また、ピストンガイド３０の内周面には、平面視リング状の支持部が形成され、この支持部にボール材３１が着座及び離反可能に配置されている。
【００１７】
このピストンガイド３０の下部には、小径シリンダ部２６の内部を中心軸線Ｌ方向に向けて液密に摺動する液用ピストン３２が嵌合されている。
小径シリンダ部２６には、前記液用ピストン３２の下側にコイルスプリング３３が配置され、このコイルスプリング３３の内周側にポペット弁３４が収容されていて、ポペット弁３４の上部が前記液用ピストン３２の内部に挿入されている。
【００１８】
ピストンガイド３０の上側には円筒状をなすステム３５が被着され、このステム３５は前記装着筒状体の小筒部１６の内周側に配置される。
ステム３５の内周側には、径方向内側に突出して下側に向けて開口した環状溝部３６が形成され、この環状溝部３６には、前記ピストンガイド３０の上端部分が挿入されており、ステム３５を下側に移動させることでピストンガイド３０も下側に移動して、エア用ピストン２９及び液用ピストン３２が連動して下側に向けて移動するように構成されている。
【００１９】
そして、この環状溝部３６よりも下側部分において、ピストンガイド３０の上側部分の内周面に囲まれた部分は、前記エア用ピストン２９及びピストンガイド３０の内部に連通可能とされ、エアと内容液とが混合される気液混合室３７が画成されており、この気液混合室３７は、小径シリンダ部２６（液用シリンダ）の液室２５に対してボール材３１により開閉可能とされている。さらに、この気液混合室３７は、大径シリンダ部２４（エア用シリンダ）の空気室２３に対してエア用ピストン２９とピストンガイド３０との摺動により開閉可能とされている。
さらに、ステム３５内部の上側部分には、気液混合室３７で混合されたエアと内容液とが送られて泡を発生させるためのメッシュリング３８（発泡部材）が装着されている。
【００２０】
そして、このステム３５の上方には、中心軸線Ｌに沿って延びる内部流路４１が形成された作動筒体４０が被着されている。作動筒体４０の下側が大径部４２とされ、その内周側には前記ステム３５が嵌入されて固定されており、さらにこの大径部４２は前記装着筒状体の小筒部１６の内周面を摺動するように配置されている。
大径部４２の上側には、一段小径とされた小径部４３が上側に向けて大きく延びるように形成されており、その外径は前記装着筒状体のガイド筒部１８の内径と略同一とされている。小径部４３は、前記ガイド筒部１８よりもさらに上方に向けて大きく突出するとともに、ガイド筒部１８の内周側を摺動可能に配置されている。
【００２１】
作動筒体４０の上方には、泡を吐出するための泡吐出ノズル５０が配置されている。この泡吐出ノズル５０は、中心軸線Ｌに沿って延びる取付軸部５１とこの取付軸部５１と斜交する方向に延びる吐出部５２とを有しており、この取付軸部５１が、作動筒体４０（小径部４３）に形成された内部流路４１の上端開口部に中心軸線Ｌを中心として回動可能に嵌合されている。
【００２２】
前記吐出部５２には、斜め上方に向けて延びる吐出孔５３が形成されており、取付軸部５１に形成されたに連通孔５４を介して前記内部流路４１と連通されている。
また、泡吐出ノズル５０の先端には、吐出口５５が装着されており、この吐出口５５の開口端周縁部は、その外周面が開口端側に向けて漸次内周面に近づいていき肉厚が薄くなるようにエッジが形成されている。
【００２３】
また、前記筒状装着体１３には、その径方向外側及び中心軸線Ｌ方向に向けて延びる板状のレバー支持部６０が立設されている。本実施形態では、肩部１７からガイド筒部１８の外周面にまでわたる部分から突出して、容器本体１１よりも径方向外側に、かつ、前記ガイド筒部１８の上端よりも上方にまで達するように設けられている。
このレバー支持部６０の上端部分には、後述するレバー部材６２を揺動可能に支持する連結軸部６１が設けられている。
【００２４】
レバー部材６２は、一端側に形成された嵌入孔６３が前記連結軸部６１に嵌合されていて、前記作動筒体４０と交差するように配置されている。このレバー部材６２の他端側には、指先をかけて操作するための操作レバー６４が中心軸線Ｌ方向の下方に向けて延設されている。この操作レバー６４には、その延設方向にスライド可能な伸長部材６５が配設されている。
そして、このレバー部材６２は、接続軸部６６によって前記作動筒体４０に接続されており、レバー部材６２を揺動することで、前記作動筒体４０が中心軸線Ｌ方向に移動するように構成されている。
【００２５】
この泡吐出容器１０は、操作レバー６４を引き込むように操作することでレバー部材６２が連結軸部６１を中心に下方に向けて回動し、前記作動筒体４０が中心軸線Ｌ方向下側に向けて移動される。すると、図３に示すように、作動筒体４０によってステム３５が下方に移動されてエア用ピストン２９及び液用ピストン３２が下側に向けて押し下げられ、エアピストンバルブ２９Ａが閉じられて空気室２３の圧力が上昇してエア用ピストン２９Ａとピストンガイド３０との隙間から気液混合室３７にエアが流入するとともに、ポペット弁３４が閉じられて液室２５の圧力が上昇してボール材３１とピストンガイド３０の支持部との間から気液混合室３７に内容液が流入し、気液混合室３７で混合されたエアと内容液とがメッシュリング３８へと送られて通過することで泡が発生する。この泡が前記作動筒体４０の内部流路４１を介して泡吐出ノズル５０へと移送され、吐出孔５３を通じて吐出口５５の開口端から外部へと吐出される。
【００２６】
本実施形態である泡吐出容器１０によれば、大径シリンダ部２４（エア用シリンダ）の内部を摺動するエア用ピストン２９と小径シリンダ部２６（液用シリンダ）の内部を摺動する液用ピストン３２とにステム３５及びピストンガイド３０を介して接続された作動筒体４０が配置されており、該作動筒体４０を押圧するレバー部材６２を有しているので、比較的小さな力でエア用ピストン２９及び液用ピストン３２を移動させてエア及び内容液を気液混合室３７へと移送することができ、気液混合室３７でエアと内容液とを混合してメッシュリング３８に送り込んで泡を生成することができる。よって、力の弱い使用者であっても泡を吐出させることができる。
【００２７】
また、作動筒体４０に中心軸線Ｌに沿って延びる内部流路４１が形成されていて、内部流路４１の上方開口部に泡吐出ノズル５０が中心軸線Ｌを中心として回動可能に装着されているので、レバー部材６２の操作方向を変更することなく、泡吐出ノズル５０を回動させて泡の吐出方向を変更することができ、取り扱い性を大幅に向上することができる。
【００２８】
また、泡吐出ノズル５０の吐出孔５３が斜め上方に向けて配置されているので、泡吐出ノズル５０が中心軸線Ｌを中心として径方向外側に向けて延びるように配置されることになり、小さな力で泡吐出ノズル５０を中心軸線Ｌ回りに回転させることができる。また、吐出孔５３が斜め上方に向けられているので、中心軸線Ｌに沿って延びる内部流路４１と吐出孔５３とが滑らかに接続されることになり、内部流路４１を介して供給される泡をスムーズに吐出孔５３から吐出することができる。
【００２９】
さらに、レバー部材６２を操作する操作レバー６４に、その長さを伸長する伸長部材６５が設けられているので、操作レバー６４の長さが長くなって、操作レバー６４の先端がレバー部材６２の連結軸部６１から離れることになる。したがって、指をかけて操作する部分（作用点）と支点との距離が大きくなってさらに小さな力でレバー部材６２を操作することができる。
【００３０】
また、泡吐出ノズル５０の先端に配置された吐出口５５の開口端周縁部に、その外周面が開口端側に向けて漸次内周面に近づいていき肉厚が薄くなるようにエッジが形成されているので、泡が開口端周縁部に大きく溜まることがない。
【００３１】
以上、本発明の一実施形態である泡吐出容器について説明したが、本発明の技術的範囲はこれに限定されることはなく、本発明の技術的思想を逸脱しない範囲で適宜変更可能である。
例えば、空気室２３を開閉するエアピストンバルブ２９Ａを備えたものとして説明したが、これに限定されることはなく、例えば図４に示すように、エア用ピストン２９の径方向中心部に上側に向けて突出する突出部２９Ｂを設けるとともに、ステム３５の外周面に下側に向けて突出するシール部３５Ａを設けて、これら突出部２９Ｂとシール部３５Ａとによって空気室２３を開閉する構成としてもよい。
【００３２】
また、泡吐出ポンプの構成については、本実施形態に限定されることはなく、エアを移送するエア用シリンダと前記容器内に収容された内容液を移送する液用シリンダとこれらエア及び液体を混合する気液混合室とを備え、内容液とエアとを混合して泡を発生させる機構を備えたものであれば良い。
また、レバー部材の形状についても、本実施形態に限定されることはなく、レバー部材を操作して作動筒体を移動できる構成とされていれば良い。
【産業上の利用可能性】
【００３３】
小さな押圧力で泡を確実に吐出することができ、かつ、泡の吐出方向を変更することができて取り扱いが容易な泡吐出容器を提供できる。
【図面の簡単な説明】
【００３４】
【図１】本発明の実施形態である泡吐出容器の側面断面図である。
【図２】図１に示す泡吐出容器において、泡吐出ノズルを回動するとともに、伸長部材を伸ばした状態を示す側面断面図である。
【図３】図１に示す泡吐出容器において、レバー部材を下方側に向けて回動させた状態を示す側面断面図である。
【図４】本発明の他の実施形態である泡吐出容器の側面断面図である。
【符号の説明】
【００３５】
１０  泡吐出容器
１１  容器本体
１２  口筒部
２０  泡吐出ポンプ
２４  大径シリンダ部（エア用シリンダ）
２６  小径シリンダ部（液用シリンダ）
２９  エア用ピストン
３２  液用ピストン
４０  作動筒体
４１  内部流路
５０  泡吐出ノズル
５３  吐出孔
６２  レバー部材
６４  操作レバー（操作部）
６５  伸長部材
【図１】
2007319759.tif 000003
【図２】
2007319759.tif 000004
【図３】
2007319759.tif 000005
【図４】
2007319759.tif 000006